(57)【要約】      （修正有）【課題】決済ＩＤタグの利用による決済システムと集合住宅インターホン装置とを連動させることで、集合住宅内外の施設や設備の予約や決済をリアルタイムで行なうインターホンシステムを提供する。【解決手段】集合住宅に設置され、情報提示を行うための表示部、及び操作部を有する居室親機と、居室親機に接続され、居住者個人毎に識別ＩＤ番号、共用施設の利用料金等の有料サービスをうけるための決済ＩＤが記録されたＵＳＢメモリ型キーと、識別ＩＤ番号に関連付けして識別ＩＤの有効期限、共用施設の立ち入り可能範囲、施設利用権限、利用可能金額等の記録情報を格納した居住者データベースと、前記ＵＳＢメモリ型キーから読み出されたデータを前記居住者データベースに登録されたデータと照合して、利用条件が合致したときサービスを受けることができる照合部とを設ける。【選択図】図１
2011055029.tif 000002
【特許請求の範囲】
【請求項１】
住戸に設置され、情報提示を行うための表示部、前記情報提示に対して操作を行う操作部を有する居室親機と、前記居室親機に接続され、居住者個人毎に識別ＩＤ番号、共用施設の利用料金等の有料サービスをうけるための決済ＩＤが記録されたＵＳＢメモリ型キーと、前記識別ＩＤ番号に関連付けして識別ＩＤの有効期限、共用施設の立ち入り可能範囲、施設利用権限、利用可能金額等の記録情報を格納した居住者データベースと、
前記ＵＳＢメモリ型キーから読み出されたデータを前記居住者データベースに登録されたデータと照合して、利用条件が合致したときサービスを受けることができる照合部とを設けたことを特徴とするインターホンシステム。
【請求項２】
前記居室親機は、利用が制限されている施設を利用するため、前記照合部の照合で利用条件が合致したとき前記ＵＳＢメモリ型キーに施設利用ＩＤを付与することを特徴とする請求項１記載のインターホンシステム。
【請求項３】
前記ＵＳＢメモリ型キーを前記居室親機に接続したとき、集合住宅内外の契約駐車場、洗車場、サウナ、フィットネスルーム等の施設、設備およびサービスの利用予約又は、物品およびサービスの購入時の決済を前記表示部及び前記操作部によって行い、前記照合部にて照合して利用条件が合致したときサービスを受けることができることを特徴とする請求項１又は請求項２記載のインターホンシステム。
【発明の詳細な説明】
【技術分野】
【０００１】
本発明は、インターホンシステムに係わり、特にインターホンシステムの機能を利用して、集合住宅内外の契約駐車場、洗車場、サウナ、フィットネスルーム等の施設、設備およびサービスの利用予約等を行なうことができるインターホンシステムに関する。
【背景技術】
【０００２】
従来から、この種のインターホンシステムとして、集合住宅の集合玄関に設置され、来訪者の映像を撮像し、来訪者が居住者を呼び出して通話を行うための集合玄関機と、集合住宅の各住戸内にそれぞれ設置され、来訪者の映像を表示し、居住者が来訪者からの呼び出しに応答して通話を行うための生活情報盤と、生活情報盤および集合玄関機を制御するための制御装置と、集合住宅館内のお知らせの情報、警報履歴情報等の各種情報を管理するための管理サーバと、生活情報盤に表示させるための集合住宅館内の施設情報、館外の地域情報等の各種情報を保存する情報サーバとを備え、管理サーバ、情報サーバの双方に必要な情報であって、管理サーバ、情報サーバのうち一方のサーバのみが所有し、または最新の情報として所有している居住者情報、表示言語情報等の共通情報を、所定の操作により他方のサーバに送信して同一の情報として所有するものが知られている（例えば、特許文献１参照）。
【０００３】
このような構成のインターホンシステムによれば、インターホン機能を有するとともに、集合住宅館内のお知らせの情報、警報情報等の情報を管理するための管理サーバと、集合住宅の各住戸内に設置された生活情報盤にて表示させるための集合住宅館内の施設情報、館外の地域情報等の各種情報を保存する情報サーバの双方のサーバにおいて、居住者情報、表示言語情報等の共通情報を同一の情報として所有させて利用することができるばかりでなく、管理サーバを制御する管理用パーソナルコンピュータにより情報サーバの利用を制限することができる。
また、情報サーバは、集合住宅館内の施設利用を行うための予約機能等を有していることから、集合住宅の居住者は生活情報盤の所定の操作により、集合住宅内の施設や設備を予約することができる。
【先行技術文献】
【特許文献】
【０００４】
【特許文献１】特開２００４―２０７８８１号公報
【発明の概要】
【発明が解決しようとする課題】
【０００５】
このような構成のインターホンシステムによれば、インターホン機能を有するとともに、集合住宅館内のお知らせの情報、警報情報等の情報を管理するための管理サーバと、集合住宅の各住戸内に設置された生活情報盤にて表示させるための集合住宅館内の施設情報、館外の地域情報等の各種情報を保存する情報サーバの双方のサーバにおいて、居住者情報、表示言語情報等の共通情報を同一の情報として所有させて利用することができるばかりでなく、管理サーバを制御する管理用パーソナルコンピュータにより情報サーバの利用を制限することができる。
また、情報サーバは、集合住宅館内の施設利用を行うための予約機能等を有していることから、集合住宅の居住者は生活情報盤の所定の操作により、集合住宅内の施設や設備を予約することができる。
【０００６】
しかしながら、このような構成のインターホンシステムにおいては、集合住宅インターホン装置と予約後における利用料金の決済システムとが連動していないことから、居住者は煩雑な手続きをとらなければならないという難点があった。
本発明は、このような難点を解決するためになされたもので、決済ＩＤタグの利用による決済システムと集合住宅インターホン装置とを連動させることで、集合住宅内外の施設や設備の予約や決済をリアルタイムで行なうことができるとともに、決済ＩＤタグを利用することで、共用施設、集合住宅の郵便受け、宅配ボックスまたはオートドア等の扉の施錠／解錠操作等を容易に行なうことができる集合住宅インターホン装置を提供することを目的としている。
【課題を解決するための手段】
【０００７】
前述の目的を達成するため本発明のインターホンシステムは、集合住宅に設置され、情報提示を行うための表示部、前記情報提示に対して操作を行う操作部を有する居室親機と、前記居室親機に接続され、居住者個人毎に識別ＩＤ番号、共用施設の利用料金等の有料サービスをうけるための決済ＩＤが記録されたＵＳＢメモリ型キーと、前記識別ＩＤ番号に関連付けして識別ＩＤの有効期限、共用施設の立ち入り可能範囲、施設利用権限、利用可能金額等の記録情報を格納した居住者データベースと、
前記ＵＳＢメモリ型キーから読み出されたデータを前記居住者データベースに登録されたデータと照合して、利用条件が合致したときサービスを受けることができる照合部とを設けたことを特徴としている。
また、本発明のインターホンシステムは、請求項１において、居室親機は、利用が制限されている施設を利用するため、照合部の照合で利用条件が合致したとき前記ＵＳＢメモリ型キーに施設利用ＩＤを付与することを特徴としている。
更に、本発明のインターホンシステムは、請求項１又は請求項２において、 前記ＵＳＢメモリ型キーを前記居室親機に接続したとき、集合住宅内外の契約駐車場、洗車場、サウナ、フィットネスルーム等の施設、設備およびサービスの利用予約又は、物品およびサービスの購入時の決済を前記表示部及び前記操作部によって行い、前記照合部にて照合して利用条件が合致したときサービスを受けることができることを特徴している。
【発明の効果】
【０００８】
このような発明によれば、ＵＳＢメモリ型キーを居室親機に差し込むだけで共用施設等の利用権限や施設の利用金額の決済等の処理をおこなうことが可能となる。
また、居室親機の表示部と操作部を使って、施設の予約や決済処理を行うことも可能であり、使用者には便利である。
【図面の簡単な説明】
【０００９】
【図１】本実施形態のインターホンシステムのシステム構成図。
【発明を実施するための形態】
【００１０】
以下、本発明の好ましい一実施形態を、図面を参照しながら詳細に説明する。
この実施形態によるインターホンシステムは、概略で図１に示したように構成される。
集合住宅のエントランスに設置され、来訪者が居住者を呼び出して通話するための集合玄関機１、当該集合玄関機及び後述する居室親機、管理室親機を制御する制御機２、来訪者の呼び出しに応答して通話するとともに、情報提示を行うための表示部３１、前記情報提示に対して操作を行う操作部３２を有する居室親機３、管理人が操作し、集合玄関機１及び居室親機３と通話する管理室親機４から構成されている。
また、制御機２には、後述するＵＳＢメモリ型キーに記録された識別ＩＤに関連付けして識別ＩＤの有効期限、共用施設の立ち入り可能範囲、施設利用権限、利用可能金額等の記録情報を格納した居住者データベース（以下、「居住者ＤＢ」という）２１、ＵＳＢメモリ型キーの情報と居住者ＤＢ２１に格納された情報とを照合する照合部２２を備えている。
また、制御機２には、共用施設６に入るための電気錠５が接続されており、共用施設６に入るためには立ち入り許可を必要としている。
【００１１】
居室親機３には、居住者個人毎に識別ＩＤ番号、共用施設の利用料金等の有料サービスをうけるための決済ＩＤが記録されたＵＳＢメモリ型キー７が接続可能となっており、接続されると共用施設の利用許可や、決済等を行うことが可能となっている。
また、決済をおこなったときに決済処理をおこなうための決済データセンター８がネットワークを介して制御機２に接続されている。
このように構成されたインターホンシステムにおいて、以下、動作を説明する。
【００１２】
ここで、来訪者が集合住宅内の居住者を呼び出すため集合玄関機１を操作し、当該呼び出しを検出した制御機２が居室親機３に呼出信号を送出して、居室親機３にて呼出音の鳴動とともに集合玄関機１のカメラ（図示せず）で撮像した映像が居室親機３の表示部３１に表示され、これを確認した居住者が操作部３２を操作することにより来訪者と通話することについては、従来と同様であるので説明を省略するものとする。
ここでは、共用施設の予約、決済等についての説明を詳述する。
居住者は、例えば集合住宅の駐車場やスポーツジム等の共用施設を予約するために居住者個人毎に識別ＩＤ番号が記録されたＵＳＢメモリ型キーを居室親機３に接続する。すると、当該識別ＩＤ番号は、居室親機３から制御機２に送付され、予め居住者ＤＢ２１に格納されている記録情報と照合部２２にて照合される。ここでは、識別ＩＤ番号の照合のほか、当該識別ＩＤ番号の有効期限等も照合される。照合部２２で照合された結果、認証されれば、その結果を居室親機３に返信する。居室親機３では、図示しないＣＰＵの制御により、駐車場やスポーツジム等の共用施設のリストと、その費用を表示部３１に表示する制御をおこなう。
【００１３】
ここで、表示される共用施設のリストは、ＵＳＢメモリ型キー７に記憶された識別ＩＤ番号ごとに異なっていてもよい。
これを確認した居住者が、例えば、集合住宅内にある共用施設のスポーツジムを利用するよう操作部２２で操作する。このとき、利用日、利用時間が操作部２２の操作により入力される。この共用施設の利用情報は、制御機２に送信され、居住者ＤＢ２１に書き込まれる。また、この時点で利用金額が決済されるようにしてもよい。具体的には、ＵＳＢメモリ型キー７から予め記憶された決済用の決済ＩＤが読み出され、制御機２に送信される。制御機２は、この決済ＩＤをネットワークを介して決済データセンター８に送信し、当該決済データセンターにて決済ＩＤの照合がおこなわれ決済されることとなる。
制御機２では、居室親機３で入力した利用日、利用時間のときのみ有効な、利用ＩＤを居室親機３に返信し、居室親機３からＵＳＢメモリ型キー７に当該利用ＩＤを転送し、記録する。
【００１４】
居住者は、スポーツジムの利用日、利用時間になったらスポーツジムである共用施設６に赴き、ＵＳＢメモリ型キー７を電気錠５（電気錠５の解錠装置を含む）に差し込む。このとき電気錠５では、ＵＳＢメモリ型キー７から利用ＩＤを読み出し、制御機２に送信する。これを受けた制御機２では、居住者ＤＢ２１に記録された情報と、電気錠５から送信された利用ＩＤとを照合部で照合する。
照合の結果、一致すれば、電気錠５を解錠するための解錠信号を送信し、電気錠５が解錠される。一致しなければ、エラー表示がなされ、利用不可となる。
このように、ＵＳＢメモリ型キー７を居室親機３に直接差し込むことにより、共用施設の予約及び費用の決済を可能とするとともに、共用施設を利用するキーとしても使用可能となるので便利である。
【００１５】
上記実施例ではスポーツジムでの予約及び決済について説明したが、これに限らず、例えば、表示部３１に食事の宅配や商品の購入など有料サービスの申し込みを可能としてもよい。
また、居室親機３にＵＳＢメモリ型キー７が差し込まれたとき、居室親機３に記憶された映像、音声を読み出してＵＳＢメモリ型キー７に記録するようにしてもよい。これにより、不審者等の映像、音声のデータを持ち出すことができ、第三者機関に持ち込めたり、メール送信したりすることが可能となる。
また、上記実施例では、集合住宅インターホンシステムについて説明したが、これに限らず、戸建のインターホンシステムでも使用することができる。この場合、制御機の機能は、居室親機でおこなわれる。
【符号の説明】
【００１６】
１・・・                          集合玄関機
２・・・                          制御機
２１・・・                      居住者データベース
２２・・・                      照合部
３・・・                          居室親機
３１・・・                      表示部
３２・・・                      操作部
４・・・                          管理室親機
５・・・                          電気錠
６・・・                          共用施設
７・・・                          ＵＳＢメモリ型キー
８・・・                          決済データセンター
【図１】
2011055029.tif 000003